(57)【要約】【課題】サーバー部から迷惑識別子を迷惑電話監視装置に保存しておき、着信した発信元識別子が迷惑識別子であるか否を常に監視可能になる。【解決手段】サーバー部１４から迷惑識別子が無線通信事業者網１５及びインターネット網１３を経由して迷惑電話監視装置３に保存された状態において、発信側電話機６から着信側電話機１に対する発信元識別子が迷惑電話監視装置３に着信し、着信した発信元識別子が迷惑識別子として迷惑電話監視装置３に保存されている場合は発信側電話機６から着信側電話機１への着信を保留しかつ発信側電話機６から着信側電話機１側への着信が迷惑電話である場合の表示と拒否電話である場合の表示とを互いに異なる表示態様で行う一方、発信側電話機１から迷惑電話監視装置３に着信した発信元識別子が迷惑識別子又は拒否識別子として迷惑電話監視装置３に保存されていない場合は発信側電話機６から着信側電話機１への着信を許可する。【選択図】図１
2014207621.tif 000002
【特許請求の範囲】
【請求項１】
記憶部と、入力操作部と、無線通信部と、電話機接続部と、電話回線接続部と、表示部と、インターネット網のサーバー部から迷惑識別子を無線通信部の通信に基づき無線通信事業者網及びインターネット網を経由してダウンロードして記憶部に保存する迷惑情報管理手段と、入力操作部の入力操作に基づき拒否識別子を記憶部に保存する拒否情報管理手段と、公衆回線網が電話回線接続部に接続されかつ着信側電話機が電話機接続部に接続された状態において発信側電話機から着信側電話機に対する発呼に基づき着信した発信元識別子が迷惑識別子又は拒否識別子として記憶部に保存されている場合は発信側電話機から着信側電話機への着信を保留し発信元識別子が迷惑識別子又は拒否識別子として記憶部に保存されていない場合は発信側電話機から着信側電話機への着信を許可する通信制御手段と、通信制御手段による保留に基づき発信側電話機から着信側電話機への着信が迷惑電話である場合の表示と拒否電話である場合の表示とを互いに異なる表示態様になるように表示部を制御する表示制御手段とを備えたことを特徴とする迷惑電話監視装置。
【請求項２】
サーバー部の迷惑識別子が更新された場合に、迷惑情報管理手段がサーバー部から更新された分の迷惑識別子をダウンロードして記憶部に保存することを特徴とする請求項１記載の迷惑電話監視装置。
【請求項３】
無線通信部の通信が不可能な場合は、通信制御手段がインターネット網のサーバー部から迷惑識別子を公衆回線網及びインターネット網を経由してダウンロードして記憶部に保存することを特徴とする請求項１記載の迷惑電話監視装置。
【請求項４】
入力操作部の入力操作に基づき許可識別子を記憶部に保存する許可情報管理手段を備え、表示制御手段は着信した発信元識別子が許可識別子として記憶部に保存されている場合は発信側電話機から着信側電話機への着信が許可電話である表示を行うように表示部を制御することを特徴とする請求項１記載の迷惑電話監視装置。
【請求項５】
発信元識別子が迷惑識別子又は拒否識別子である場合は通信制御手段が呼出音信号を着信側電話機に出力しないことを特徴とする請求項１記載の迷惑電話監視装置。
【請求項６】
記憶部と、入力操作部と、無線通信部と、表示部と、インターネット網のサーバー部から迷惑識別子を無線通信部の通信に基づき無線通信事業者網及びインターネット網を経由してダウンロードして記憶部に保存する迷惑情報管理手段と、入力操作部の入力操作に基づき拒否識別子を記憶部に保存する拒否情報管理手段と、発信側電話機から無線通信部に着信した発信元識別子が迷惑識別子又は拒否識別子として記憶部に保存されている場合は上記発信側電話機から無線通信部への着信を保留し発信元識別子が迷惑識別子又は拒否識別子として記憶部に保存されていない場合は上記発信側電話機から無線通信部への着信を許可する通信制御手段と、通信制御手段による保留に基づき発信側電話機から無線通信部への着信が迷惑電話である場合の表示と拒否電話である場合の表示とを互いに異なる表示態様になるように表示部を制御する表示制御手段とを備えたことを特徴とする迷惑電話監視機能付き携帯電話機。
【請求項７】
インターネット網のサーバー部から迷惑識別子が無線通信に基づき無線通信事業者網及びインターネット網を経由してダウンロードされて迷惑電話監視装置又は携帯電話機に保存されかつ拒否識別子が迷惑電話監視装置又は携帯電話機に保存された状態において、発信側電話機から発呼された発信元識別子が迷惑電話監視装置又は携帯電話機に着信し、その着信した発信元識別子が迷惑識別子又は拒否識別子として迷惑電話監視装置又は携帯電話機に保存されている場合は迷惑電話監視装置又は携帯電話機が発信側電話機から着信側電話機への着信を保留しかつ当該保留に基づき着信が迷惑電話である場合の表示と拒否電話である場合の表示とを互いに異なる表示態様で行う一方、着信した発信元識別子が迷惑識別子又は拒否識別子として迷惑電話監視装置又は携帯電話機に保存されていない場合は迷惑電話監視装置又は携帯電話機が発信側電話機から着信側電話機への着信を許可することを特徴とする迷惑電話監視方法。
【請求項８】
インターネット網のサーバー部から迷惑識別子を無線通信部の通信に基づき無線通信事業者網及びインターネット網を経由してダウンロードして記憶部に保存するステップと、入力操作に基づき拒否識別子を記憶部に保存するステップと、公衆回線網が電話回線接続部に接続されかつ着信側電話機が電話機接続部に接続された状態において発信側電話機から着信側電話機に対する発呼に基づき着信した発信元識別子が迷惑識別子又は拒否識別子として記憶部に保存されている場合は発信側電話機から着信側電話機への着信を保留するステップと、このステップでの保留に基づき発信側電話機から着信側電話機への着信が迷惑電話である場合の表示と拒否電話である場合の表示とを互いに異なる表示態様で行うステップと、公衆回線網が電話回線接続部に接続されかつ着信側電話機が電話機接続部に接続された状態において発信側電話機から着信側電話機に対する発呼にも基づき着信した発信元識別子が迷惑識別子又は拒否識別子として記憶部に保存されていない場合は発信側電話機から着信側電話機への着信を許可するステップとを備えたことを特徴とする迷惑電話監視装置に用いられるコンピュータープログラム。
【発明の詳細な説明】
【技術分野】
【０００１】
本発明は、迷惑電話監視装置、迷惑電話監視機能付き携帯電話機、迷惑電話監視方法、迷惑電話監視装置に用いられるコンピュータープログラムに関する。この明細書において、迷惑識別子は、迷惑な電話を識別する情報であり、不特定多数の人により迷惑と思われた電話番号又は当該電話番号に関連する情報からなる。発信元識別子は、発信元電話を識別する情報であり、発信元電話番号又は発信元電話番号に関連する情報からなる。拒否識別子は、着信を拒否する電話を識別する情報であり、ユーザーにより着信を拒否された電話番号又は当該電話番号に関連する情報からなる。許可識別子は、着信を許可する電話を識別する情報であり、ユーザーにより着信を許可された電話番号又は当該電話番号に関連する情報からなる。ユーザーは、迷惑電話監視装置又は迷惑電話監視機能付き携帯電話機又は着信側電話機の使用者又は所持者又は所有者等の総称である。
【背景技術】
【０００２】
図１４は、特許文献１で開示された迷惑電話を監視するシステムを示す。図１４の迷惑電話を監視するシステムでは、着信側電話機８１とインターネット網８３と公衆回線網８７とが迷惑電話監視装置８２に接続され、発信元の電話番号が迷惑電話監視装置８２のディスプレイに表示された状態において、迷惑電話監視装置８２の拒否ボタンが人為操作されると、発信元の電話番号が迷惑電話を拒否する識別子である拒否番号としてサーバー部８４に保存される。
【０００３】
一方、発信側電話機８５から迷惑電話監視装置８２に発信元の電話番号と共に受信要求が送信されると、迷惑電話監視装置８２が発信側電話機８５の発信元の電話番号をサーバー部８４に送信する。そして、迷惑電話監視装置８２からサーバー部８４に送信された発信元の電話番号がサーバー部８４に拒否番号として保存されていると、サーバー部８４が着信拒否を迷惑電話監視装置８２に送信し、迷惑電話監視装置８２が迷惑電話監視装置８２の発光表示部を赤色に点灯しかつ発信側電話機８５の呼出音を鳴動させるものの着信側電話機８１の呼出音を鳴動させな。
【０００４】
他方、迷惑電話監視装置８２からサーバー部８４に送信された発信元の電話番号がサーバー部８４に拒否番号として保存されていないと、サーバー部８４が着信許可を迷惑電話監視装置８２に送信し、迷惑電話監視装置８２が迷惑電話監視装置８２の発光表示部を青色に点灯しかつ着信側電話機８１の呼出音及び発信側電話機８５の呼出音を鳴動させる。着信側電話機８１の呼出音が鳴動し、これを聞いた人が着信側電話機８１をオフフックすると、着信側電話機８１と発信側電話機８５とが接続されて通話可能になる。
【０００５】
しかしながら、図１４に示した迷惑電話を監視するシステムでは、迷惑電話監視装置８２が着信した発信元の電話番号をインターネット網８３経由でサーバー部８４に送信し、サーバー部８４が迷惑電話監視装置８２から送られてきた発信元の電話番号が拒否番号としてサーバー部８４に保存されているか否かの検索の結果に基づいて決定した着信可否をインターネット網８３経由で迷惑電話監視装置８２に送信する構成になっているので、迷惑電話監視装置８２による着信した発信元の電話番号のサーバー部８４への送信から、惑電話監視装置８２によるサーバー部８４からの着信可否の受信までの間、迷惑電話監視装置８２がインターネット網８３に繋がっていないと、迷惑電話を監視することができない欠点がある。
【先行技術文献】
【特許文献】
【０００６】
【特許文献１】特開２０１２−１０９８４２号公報
【発明の概要】
【発明が解決しようとする課題】
【０００７】
本発明は、上記背景技術に鑑みてなされたものであり、インターネット網のサーバー部から迷惑電話を監視する識別子としての迷惑識別子をダウンロードして保存しておくことにより、着信した発信元を識別する発信元識別子が迷惑識別子であるか否を常に監視できるようにすることを目的とする。
【課題を解決するための手段】
【０００８】
本発明に係る迷惑電話監視装置は、記憶部と、入力操作部と、無線通信部と、電話機接続部と、電話回線接続部と、表示部と、インターネット網のサーバー部から迷惑識別子を無線通信部の通信に基づき無線通信事業者網及びインターネット網を経由してダウンロードして記憶部に保存する迷惑情報管理手段と、入力操作部の入力操作に基づき拒否識別子を記憶部に保存する拒否情報管理手段と、公衆回線網が電話回線接続部に接続されかつ着信側電話機が電話機接続部に接続された状態において発信側電話機から着信側電話機に対する発呼に基づき着信した発信元識別子が迷惑識別子又は拒否識別子として記憶部に保存されている場合は発信側電話機から着信側電話機への着信を保留し発信元識別子が迷惑識別子又は拒否識別子として記憶部に保存されていない場合は発信側電話機から着信側電話機への着信を許可する通信制御手段と、通信制御手段による保留に基づき発信側電話機から着信側電話機への着信が迷惑電話である場合の表示と拒否電話である場合の表示とを互いに異なる表示態様になるように表示部を制御する表示制御手段とを備えたことを特徴とする。
【０００９】
本発明に係る迷惑電話監視機能付き携帯電話機は、記憶部と、入力操作部と、無線通信部と、表示部と、インターネット網のサーバー部から迷惑識別子を無線通信部の通信に基づき無線通信事業者網及びインターネット網を経由してダウンロードして記憶部に保存する迷惑情報管理手段と、入力操作部の入力操作に基づき拒否識別子を記憶部に保存する拒否情報管理手段と、発信側電話機から無線通信部に着信した発信元識別子が迷惑識別子又は拒否識別子として記憶部に保存されている場合は上記発信側電話機から無線通信部への着信を保留し発信元識別子が迷惑識別子又は拒否識別子として記憶部に保存されていない場合は上記発信側電話機から無線通信部への着信を許可する通信制御手段と、通信制御手段による保留に基づき発信側電話機から無線通信部への着信が迷惑電話である場合の表示と拒否電話である場合の表示とを互いに異なる表示態様になるように表示部を制御する表示制御手段とを備えたことを特徴とする。
【００１０】
本発明に係る迷惑電話監視方法は、インターネット網のサーバー部から迷惑識別子が無線通信に基づき無線通信事業者網及びインターネット網を経由してダウンロードされて迷惑電話監視装置又は携帯電話機に保存されかつ拒否識別子が迷惑電話監視装置又は携帯電話機に保存された状態において、発信側電話機から発呼された発信元識別子が迷惑電話監視装置又は携帯電話機に着信し、その着信した発信元識別子が迷惑識別子又は拒否識別子として迷惑電話監視装置又は携帯電話機に保存されている場合は迷惑電話監視装置又は携帯電話機が発信側電話機から着信側電話機への着信を保留しかつ当該保留に基づき着信が迷惑電話である場合の表示と拒否電話である場合の表示とを互いに異なる表示態様で行う一方、着信した発信元識別子が迷惑識別子又は拒否識別子として迷惑電話監視装置又は携帯電話機に保存されていない場合は迷惑電話監視装置又は携帯電話機が発信側電話機から着信側電話機への着信を許可することを特徴とする。
【００１１】
本発明に係る迷惑電話監視装置に用いられるコンピュータープログラムは、インターネット網のサーバー部から迷惑識別子を無線通信部の通信に基づき無線通信事業者網及びインターネット網を経由してダウンロードして記憶部に保存するステップと、入力操作に基づき拒否識別子を記憶部に保存するステップと、公衆回線網が電話回線接続部に接続されかつ着信側電話機が電話機接続部に接続された状態において発信側電話機から着信側電話機に対する発呼に基づき着信した発信元識別子が迷惑識別子又は拒否識別子として記憶部に保存されている場合は発信側電話機から着信側電話機への着信を保留するステップと、このステップでの保留に基づき発信側電話機から着信側電話機への着信が迷惑電話である場合の表示と拒否電話である場合の表示とを互いに異なる表示態様で行うステップと、公衆回線網が電話回線接続部に接続されかつ着信側電話機が電話機接続部に接続された状態において発信側電話機から着信側電話機に対する発呼にも基づき着信した発信元識別子が迷惑識別子又は拒否識別子として記憶部に保存されていない場合は発信側電話機から着信側電話機への着信を許可するステップとを備えたことを特徴とする。
【発明の効果】
【００１２】
本発明に係る迷惑電話監視装置、又は、迷惑電話監視機能付き携帯電話機、又は、迷惑電話監視方法、又は、迷惑電話監視装置に用いられるコンピュータープログラムは、着信した発信元識別子が迷惑識別子であるか否を常に監視できる効果がある。
【００１３】
本発明に係る迷惑電話監視装置において、サーバー部の迷惑識別子が更新された場合に、迷惑情報管理手段がサーバー部から更新された分の迷惑識別子をダウンロードして記憶部に保存すれば、短時間でダウンロードができる効果がある。
【００１４】
本発明に係る迷惑電話監視装置において、無線通信部の通信が不可能な場合は、通信制御手段がインターネット網のサーバー部から迷惑識別子を公衆回線網及びインターネット網を経由してダウンロードして記憶部に保存すれば、ダウンロードの経路が多くなる効果がある。
【００１５】
本発明に係る迷惑電話監視装置において、入力操作部の入力操作に基づき許可識別子を記憶部に保存する許可情報管理手段を備え、表示制御手段は着信した発信元識別子が許可識別子として記憶部に保存されている場合は発信側電話機から着信側電話機への着信が許可電話である表示を行うように表示部を制御すれば、着信側電話機をオフフックする人に安心感を与えることができる効果がある。
【００１６】
本発明に係る迷惑電話監視装置において、発信元識別子が迷惑識別子又は拒否識別子である場合は通信制御手段が呼出音信号を着信側電話機に出力しなければ、着信側電話機をオフフックしないようにできる効果がある。
【図面の簡単な説明】
【００１７】
【図１】発明を実施するための形態１に係る迷惑電話を監視するシステムを示す構成図。
【図２】発明を実施するための形態１に係る迷惑電話監視装置を示す構成図。
【図３】発明を実施するための形態１に係る迷惑電話監視装置を示す前側からの斜視図。
【図４】発明を実施するための形態１に係る迷惑電話監視装置を示す後側からの斜視図。
【図５】発明を実施するための形態１に係る迷惑電話監視装置を示す底面図前側からの斜視図。
【図６】発明を実施するための形態１に係る迷惑電話監視装置の動作様式を示す図表。
【図７】発明を実施するための形態１に係る迷惑電話監視装置の拒否の分類に対する発信元電話機へのトーキーの内容を示す図表。
【図８】発明を実施するための形態１に係る迷惑電話監視装置の音声案内の分類に対する音声案内の内容を示す図表。
【図９】発明を実施するための形態１に係る迷惑電話監視装置での着信処理を示すフローチャート。
【図１０】発明を実施するための形態１に係る迷惑電話監視装置での迷惑情報管理処理を示すフローチャート。
【図１１】発明を実施するための形態２に係る携帯電話機を用いた迷惑電話を監視するシステムを示す構成図。
【図１２】発明を実施するための形態２に係る携帯電話機を示す構成図。
【図１３】発明を実施するための形態２に係る携帯電話機の迷惑電話監視機能の動作様式を示す図表。
【図１４】従来の迷惑電話を監視するシステムを示す構成図。
【発明を実施するための形態】
【００１８】
図１を参照し、発明を実施するための形態１に係る迷惑電話を監視するシステムについて、着信側電話機１を着信側電話機８１として説明する。図１において、１は着信側電話機、２は電話線、３は迷惑電話監視装置、４は公衆回線網、５は電話局、６は発信側電話機、７は回線交換網、８はインターネットプロバイダー部、９はインターネット網、１０は無線基地局、１１；１２はゲートウェイ部、１３はインターネット網、１４はサーバー部、１５は通信事業者網である。
【００１９】
着信側電話機１は、固定電話機に限定されるものでなく携帯電話機で適用可能である。又、着信側電話機１は、ナンバー・ディスプレイ（登録商標）の契約が着信側電話機１の所有者と通信の契約を交わした通信事業者との間で成立している。ナンバー・ディスプレイ（和製英語: Number Display、英語: Caller ID Display）は、着信した際の発信元識別子のうちの発信元電話番号を着信側電話機１及び迷惑電話監視装置３で表示する機能である。
【００２０】
発明を実施するための形態１では、インターネット網１３に接続されたサーバー部１４から迷惑識別子が迷惑電話監視装置３にダウンロードされる場合、２つの経路が利用できるようになっている。１つの経路は、迷惑電話監視装置３、無線基地局１０、ゲートウェイ部１１；１２、インターネット網１３からなる経路である。迷惑電話監視装置３、無線基地局１０、ゲートウェイ部１１；１２が１つの無線通信事業者網１５を構成している。よって、この１つの経路は、迷惑電話監視装置３の無線通信に基づき無線通信事業者網１５及びインターネット網１３を経由してサーバー部１４から迷惑識別子を迷惑電話監視装置３にダウンロードする経路といえる。
【００２１】
もう１つの経路は、迷惑電話監視装置３、公衆回線網４、電話局５、回線交換網７、インターネットプロバイダー部８、インターネット網９、ゲートウェイ部１２、インターネット網１３からなる経路である。よって、このもう１つの経路は、迷惑電話監視装置３の有線通信に基づき公衆回線網４及びインターネット網９；１３を経由してサーバー部１４から迷惑識別子をダウンロードする経路といえる。
【００２２】
又、上記２つの経路のどちらを優先して使用するようにしても適用可能であるが、発明を実施するための形態１では、迷惑電話監視装置３が迷惑電話監視装置３の無線通信に基づき無線通信事業者網１５及びインターネット網１３からなる１つの経路を優先して使用してサーバー部１４から迷惑識別子をダウンロードする場合を例として説明する。そして、迷惑電話監視装置３の無線通信が不可能な場合は、迷惑電話監視装置３が迷惑電話監視装置３の有線通信に基づき公衆回線網４及びインターネット網１３からなる１つの経路を使用してサーバー部１４から迷惑識別子をダウンロードする。
【００２３】
発明を実施するための形態１に係る迷惑電話を監視するシステムでは、着信側電話機１が電話線２で迷惑電話監視装置３に接続され、公衆回線網４が迷惑電話監視装置３に接続され、インターネット網１３のサーバー部１４から迷惑識別子がダウンロードされて迷惑電話監視装置３に保存されかつ迷惑電話監視装置３への入力操作に基づき拒否識別子が迷惑電話監視装置３に保存された状態において、発信側電話機６から着信側電話機１に対する発呼に基づく発信元識別子が迷惑電話監視装置３に着信すると、迷惑電話監視装置３は発信元識別子が迷惑識別子又は拒否識別子として迷惑電話監視装置３に保存されているかを検索する。即ち、迷惑電話監視装置３がサーバー部１４から迷惑識別子をダウンロードして予め保存しているので、発信側電話機６から迷惑電話監視装置３に着信した発信元識別子が迷惑識別子であるか否を迷惑電話監視装置３が常に監視することができる。
【００２４】
検索の結果、発信元識別子が迷惑識別子又は拒否識別子として迷惑電話監視装置３に保存されている場合は、迷惑電話監視装置３は、発信側電話機６から着信側電話機１への着信を保留する。上記段落［００２３］乃至段落［００２４］の保留までの記載が、図１の公衆回線網４が図２の電話回線接続部３４に接続されかつ着信側電話機１が図２の電話機接続部３５に接続された状態において図１の発信側電話機６から公衆回線網４を経由する着信側電話機１に対して着信した発信元識別子が迷惑識別子又は拒否識別子として図２の記憶部３６に保存されている場合は図１の発信側電話機６から着信側電話機１への着信を保留するステップに相当する。
【００２５】
そして、図１において、上記保留に基づき発信側電話機６から公衆回線網４を経由する着信側電話機１への着信が迷惑電話である場合の表示と拒否電話である場合の表示とを互いに異なる表示態様で行う。例えば、迷惑電話監視装置３で保留された着信した発信元識別子が迷惑識別子である場合は、迷惑電話監視装置３が迷惑電話監視装置３の発光表示部を赤色に点滅させると共に呼出音信号を着信側電話機１に出力しない表示態様を行い、迷惑電話監視装置３で保留された着信した発信元識別子が拒否識別子である場合は、迷惑電話監視装置３の発光表示部を赤色に点灯させると共に呼出音信号を着信側電話機１に出力しない表示態様を行う。ここまでの段落［００２５］の記載が、このステップでの保留に基づき発信側電話機６から公衆回線網４を経由する着信側電話機１への着信が迷惑電話である場合の表示と拒否電話である場合の表示とを互いに異なる表示態様で行うステップに相当する。
【００２６】
一方、検索の結果、発信元識別子が迷惑識別子又は拒否識別子として迷惑電話監視装置３に保存されていない場合は、迷惑電話監視装置３は、発信側電話機６から着信側電話機１への着信を許可する。つまり、着信した発信元識別子が迷惑識別子又は拒否識別子として迷惑電話監視装置３に保存されていないと、迷惑電話監視装置３は発信側電話機６からの着信を許可することに基づき発光表示部を青色に点灯すると共に呼出音信号を発信側電話機６及び着信側電話機１に出力し、発信側電話機６及び着信側電話機１の呼出音が鳴動し、これを聞いた人が着信側電話機１をオフフックすると、着信側電話機１及び発信側電話機６の呼出音が停止し、着信側電話機１と発信側電話機６とが接続されて通話可能になる。この段落［００２３］の記載が、図１の公衆回線網４が図２の電話回線接続部３４に接続されかつ図１の着信側電話機１が図２の電話機接続部３５に接続された状態において図１の発信側電話機６から着信側電話機１に対する発呼に基づき迷惑電話監視装置３に着信した発信元識別子が迷惑識別子又は拒否識別子として図２の記憶部３６に保存されていない場合は図１の発信側電話機６から着信側電話機１への着信を許可するステップに相当する。
【００２７】
図２を参照し、発明を実施するための形態１に係る迷惑電話監視装置３について説明する。図２において、３は迷惑電話監視装置、２１は無線通信部、２２は入力操作部、２３は許可スイッチ部、２４は拒否スイッチ部、２５は上送りスイッチ部、２６は下送りスイッチ部、２７はリセットスイッチ部、２８は表示部、２９は音声表示部、３０は情報表示部、３１は発光表示部、３２は接続部、３３は電源接続部、３４は電話回線接続部、３５は電話機接続部、３６は記憶部、３７は迷惑識別データベース部、３８は拒否識別データベース部、３９は許可識別データベース部、４０は着信履歴データベース部、４１は音声案内データベース部、４２は発光表示データベース部、４３は情報表示データベース部、４４は制御部、４５はＣＰＵ部、４６はＲＯＭ部、４７はＲＡＭ部、４８は通信制御手段、４９は表示制御手段、５０は迷惑情報管理手段、５１は拒否情報管理手段、５２は許可情報管理手段、５３は履歴情報管理手段、５４は他の情報管理手段である。
【００２８】
図２を参照し、先ず、迷惑電話監視装置３の構成について説明する。図２に示すように、迷惑電話監視装置３は、容器に、無線通信部２１、入力操作部２２、表示部２８、接続部３２、記憶部３６、制御部４４を備える。入力操作部２２には、許可スイッチ部２３、拒否スイッチ部２４、上送りスイッチ部２５、下送りスイッチ部２６、リセットスイッチ部２７が設けられる。表示部２８には、音声表示部２９、情報表示部３０、発光表示部３１が設けられる。接続部３２には、電源接続部３３、電話回線接続部３４、電話機接続部３５が設けられる。記憶部３６には、迷惑識別データベース部３７、拒否識別データベース部３８、許可識別データベース部３９、着信履歴データベース部４０、音声案内データベース部４１、発光表示データベース部４２、情報表示データベース部４３が設けられる。制御部４４には、ＣＰＵ部４５、ＲＯＭ部４６、ＲＡＭ部４７、通信制御手段４８、表示制御手段４９、迷惑情報管理手段５０、拒否情報管理手段５１、許可情報管理手段５２、履歴情報管理手段５３、他の情報管理手段５４が設けられる。
【００２９】
迷惑識別データベース部３７、拒否識別データベース部３８、許可識別データベース部３９、着信履歴データベース部４０には、迷惑電話監視装置３の使用の経過と入力操作とにより、記録されて保存される情報が増えていく。迷惑識別データベース部３７に保存される情報は、迷惑識別子である。拒否識別データベース部３８に保存される情報は、拒否識別子である。許可識別データベース部３９に保存される情報は、許可識別子である。着信履歴データベース部４０に保存される情報は、着信履歴としての発信元識別子である。
【００３０】
音声案内データベース部４１、発光表示データベース部４２、情報表示データベース部４３には、迷惑電話監視装置３の製造過程で情報が予め記録されて保存される。音声案内データベース部４１に保存される情報は、図８に示す着信の分類に対する音声表示部での音声案内の内容に相当する情報である。発光表示データベース部４２に保存される情報は、図６に示す動作様式中の着信した発信元識別子列と発光表示部列とに表示された内容に相当する情報である。情報表示データベース部４３に保存される情報は、図７に示す着信の分類に対する発信側電話機へのトーキーの内容に相当する情報である。
【００３１】
図２に戻り、次に、迷惑電話監視装置３の動作について説明すると、図外のＡＣアダプタ等の充電器を備えた電源線により宅内等の商用電源が電源接続部３３から供給されると、ユーザーが電源スイッチ部を操作することなく、電源接続部３３が充電器から供給される直流の電力を迷惑電話監視装置３の各電気部品に供給する。つまり、迷惑電話監視装置３は、電源スイッチ部の除去された簡便な構造になっている。
【００３２】
このように電源接続部３３から迷惑電話監視装置３の各電気部品に電力が供給されると、制御部４４のＣＰＵ部４５が、ＲＯＭ部４６に格納されたコンピュータープログラムに従いＲＡＭ部４７に保存されている情報や記憶部３６に保存された情報を使用しながら動作して迷惑電話監視装置３の各電気部品の動作を制御する。通信制御手段４８、表示制御手段４９、迷惑情報管理手段５０、許可情報管理手段５２、拒否情報管理手段５１、履歴情報管理手段５３、他の情報管理手段５４は、ＣＰＵ部４５の動作で具現化される。
【００３３】
電源接続部３３から供給された電力で動作した迷惑電話監視装置３では、公衆回線網４が電話回線接続部３４に接続されかつ着信側電話機１が電話機接続部３５に電話線２（図１参照）で接続された状態において、発信側電話機６から着信側電話機１に対する発信元識別子が迷惑電話監視装置３に着信するごとに、履歴情報管理手段５３が着信した発信元識別子を着信履歴識別子として記憶部３６の着信履歴データベース部４０に保存する一方、通信制御手段４８は着信した発信元識別子が通知か非通知かを判断する。そして、着信した発信元識別子が通知であることからナンバー・ディスプレイの機能に適用する場合は、通信制御手段４８が着信した発信元識別子に対する通知対応処理を実行し、着信した発信元識別子が非通知であることからナンバー・ディスプレイの機能に適用しない場合は、通信制御手段４８が着信した発信元識別子に対する非通知対応処理を実行する。
【００３４】
上記通知対応処理が実行された場合、通信制御手段４８は着信した発信元識別子が記憶部３６の迷惑識別データベース部３７と拒否識別データベース部３８及び許可識別データベース部３９の何れかに保存されているかを検索する。検索の結果、着信した発信元識別子が迷惑識別データベース部３７に迷惑識別子として保存されている場合又は拒否識別データベース部３８に拒否識別子として保存されている場合は、通信制御手段４８が発信側電話機６から着信側電話機１への着信を保留すると共に保留を表示制御手段４９に転送し、この転送に基づき表示制御手段４９が保留の原因に適応するように表示部２８を制御する。着信した発信元識別子が許可識別データベース部３９に許可識別子として保存されている場合又は迷惑識別データベース部３７と拒否識別データベース部３８及び許可識別データベース部３９の何れにも保存されていない場合は、通信制御手段４８が発信側電話機６から着信側電話機１への着信を許可すると共に許可を表示制御手段４９に通知し、表示制御手段４９が通知された許可の原因に適応するように表示部２８を制御する。この「表示制御手段４９が通知された許可の原因に適応するように表示部２８を制御する」の記載が、表示制御手段４９は着信した発信元識別子が許可識別子として記憶部３６に保存されている場合は発信側電話機６から着信側電話機１への着信が許可電話である表示を行うように表示部２８を制御するに相当する。
【００３５】
前記非通知対応処理が実行された場合、通信制御手段４８は着信した発信元識別子を記憶部３６に検索することなく着信を保留すると共に保留を表示制御手段４９に通知し、表示制御手段４９が通知された非通知対応処理による保留の原因に適応するように表示部２８を制御する。上記通知対応処理が実行された場合の動作及び前記非通知対応処理が実行された場合の動作については図６に示す動作様式で詳述する。
【００３６】
図２に戻り、電源接続部３３から供給された電力で動作した迷惑電話監視装置３において、迷惑識別子を記憶部３６の迷惑識別データベース部３７に保存する場合、拒否識別子を記憶部３６の拒否識別データベース部３８に保存する場合、許可識別子を記憶部３６の許可識別データベース部３９に保存する場合について説明する。
【００３７】
先ず、迷惑識別子が記憶部３６の迷惑識別データベース部３７に保存される場合について説明する。更新時期が到来すると、迷惑情報管理手段５０がインターネット網１３のサーバー部１４から迷惑識別子を無線通信部２１と無線基地局１０との無線通信に基づき無線通信事業者網１５及びインターネット網１３を経由してダウンロードして記憶部３６の迷惑識別データベース部３７に保存する。この迷惑識別子が記憶部３６の迷惑識別データベース部３７に保存される場合が、インターネット網１３のサーバー部１４から迷惑識別子を無線通信部２１の通信に基づき図１の無線通信事業者網１５及び図２のインターネット網１３を経由してダウンロードして記憶部３６に保存するステップに相当する。
【００３８】
上記更新時期については、インターネット網１３のサーバー部１４からダウンロードされる迷惑識別子と共にサーバー部１４の次期の更新時期が制御部４４に入力され、この入力された次期の更新時期を制御部４４のＣＰＵが上記更新時期として記憶部３６に保存すると共に制御部４４の図外の時計手段又はカウンタ手段がカウントアップ又はカウントダウンして更新時期が到来したかを判断し、更新時期が到来すると、時計手段又はカウンタ手段が迷惑情報管理手段５０に更新時期の到来したことを通知する。これにより、迷惑情報管理手段５０がインターネット網１３のサーバー部１４から迷惑識別子を無線通信部２１と無線基地局１０との無線通信に基づき無線通信事業者網１５及びインターネット網１３を経由してダウンロードして記憶部３６の迷惑識別データベース部３７に保存する。
【００３９】
迷惑情報管理手段５０がインターネット網１３のサーバー部１４から迷惑識別子を無線通信部２１と無線基地局１０との無線通信に基づき無線通信事業者網１５及びインターネット網１３を経由してダウンロードして記憶部３６の迷惑識別データベース部３７に保存する場合において、無線通信部２１と無線基地局１０との無線通信が不可能な場合は、当該不可能なことを迷惑情報管理手段５０が通信制御手段４８に通知し、通信制御手段４８が迷惑情報管理手段５０による無線通信部２１を利用する経路から公衆回線網４を利用する経路に切り替えてサーバー部１４から迷惑識別子を、電話局５、回線交換網７、インターネットプロバイダー部８、インターネット網９、ゲートウェイ部１２及びインターネット網１３を経由してダウンロードして記憶部３６に保存する。
【００４０】
次に、拒否識別子が記憶部３６の拒否識別データベース部３８に保存される場合について説明すると、発信元識別子が迷惑電話監視装置３に着信して情報表示部３０に表示された状態において、拒否スイッチ部２４が人為操作されると、拒否スイッチ部２４が拒否信号を制御部４４に出力する。これにより、拒否情報管理手段５１が上記着信した発信元識別子を拒否識別子として拒否識別データベース部３８に保存する。この拒否識別子が記憶部３６の拒否識別データベース部３８に保存される場合が、入力操作に基づき拒否識別子を記憶部３６に保存するステップに相当する。
【００４１】
許可識別子が記憶部３６の許可識別データベース部３９に保存される場合について説明すると、発信元識別子が迷惑電話監視装置３に着信して情報表示部３０に表示された状態において、許可スイッチ部２３が人為操作されると、許可スイッチ部２３が許可信号を制御部４４に出力する。これにより、許可情報管理手段５２が上記着信した発信元識別子を許可識別子として許可識別データベース部３９に保存する。
【００４２】
又、電源接続部３３から供給された電力で動作した迷惑電話監視装置３では、履歴画面となった情報表示部３０に迷惑識別子の１つが表示された場合において、上送りスイッチ部２５又は下送りスイッチ部２６が人為操作されるごとに、他の情報管理手段５４が迷惑識別データベース部３７に保存された迷惑識別子のリストを上又は下に移動して迷惑識別子の別の１つを情報表示部３０に表示し、履歴画面となった情報表示部３０に拒否識別子の１つが表示された場合において、上送りスイッチ部２５又は下送りスイッチ部２６が人為操作されるごとに、他の情報管理手段５４が拒否識別データベース部３８に保存された拒否識別子のリストを上又は下に移動して拒否識別子の別の１つを情報表示部３０に表示し、履歴画面となった情報表示部３０に許可識別子の１つが表示された場合において、上送りスイッチ部２５又は下送りスイッチ部２６が人為操作されるごとに、他の情報管理手段５４が許可識別データベース部３９に保存された許可識別子のリストを上又は下に移動して許可識別子の別の１つを情報表示部３０に表示し、リセットスイッチ部２７が人為操作されると、電源接続部３３から供給された電力で動作した他の情報管理手段５４により、初期モードに移行する。
【００４３】
図３を参照し、迷惑電話監視装置３を前側から見た構成について説明する。図３において、２１は無線通信部、２３は許可スイッチ部、２４は拒否スイッチ部、２５は上送りスイッチ部、２６は下送りスイッチ部、３０は情報表示部、３１は発光表示部、３６は記憶部、４４は制御部、６１は容器、６２は許可スイッチ操作部、６３は拒否スイッチ操作部、６４は上送りスイッチ操作部、６５は下送りスイッチ操作部、６７はアンテナ部を示す。
【００４４】
迷惑電話監視装置３の構成について説明する。容器６１は迷惑電話監視装置３を側面から見た場合に三角形で左右の方向に延びる内部が空洞になった箱形になっている。容器６１の空洞な内部には、無線通信部２１、許可スイッチ部２３、拒否スイッチ部２４、上送りスイッチ部２５、下送りスイッチ部２６、情報表示部３０、発光表示部３１、記憶部３６、制御部４４が収容されている。容器６１の前面部が上から下に行くに従って徐々に前側に出て下り勾配となる斜面部を形成し、容器６１の背面部が垂直面部を形成し、容器６１の底面部が水平面部を形成する。容器６１の前面部と背面部と底面部と側面部とのそれぞれが互いに交わる部分は弧形面部を形成する。容器６１の前面部の前部には、発光表示部３１の表示面が配置されたことにより、発光表示部３１の表示面での発光態様が容器６１の外側から可視可能になっている。
【００４５】
容器６１の前面部には、許可スイッチ操作部６２と拒否スイッチ操作部６３とが発光表示部３１の表示面よりも後に位置して左右に分かれて配置され、上送りスイッチ操作部６４と下送りスイッチ操作部６５とが発光表示部３１の表示面よりも後に位置しかつ拒否スイッチ操作部６３よりも右側に離れて上下に分かれて配置され、情報表示部３０の表示画面部が許可スイッチ操作部６２と拒否スイッチ操作部６３と上送りスイッチ操作部６４と下送りスイッチ操作部６５とのそれぞれよりも後側に離れて配置される。許可スイッチ操作部６２と拒否スイッチ操作部６３とは、互いに同じ直径の円形になっており、左右に並んでいる。許可スイッチ操作部６２の表面部は、「許可」のような許可スイッチ操作部６２の機能を示す機能表示情報が表示された造形である。拒否スイッチ操作部６３の表面部は、「拒否」のような拒否スイッチ操作部６３の機能を示す機能表示情報が表示された造形である。
【００４６】
上送りスイッチ操作部６４と下送りスイッチ操作部６５とは、互いに同じ直径の半円形になっている。上送りスイッチ操作部６４の半円形における直線状の弦部と下送りスイッチ操作部６５半円形における直線状の弦部とが互いに上下で向き合うように、上送りスイッチ操作部６４と下送りスイッチ操作部６５とが上下に並んでいる。上送りスイッチ操作部６４の表面部には、送り方向を示す三角形の目印部が表示されている。この上送りスイッチ操作部６４の表面部に表示された目印部は、頂点部が上に向けられて、底辺部が下に向けられた、造形である。下りスイッチ操作部６６の表面部には、送り方向を示す三角形の目印部が表示されている。この下送りスイッチ操作部６４の表面部に表示された目印部は、頂点部が下に向けられ、底辺部が上に向けられた、造形である。アンテナ部６７は、無線通信部２１と図１に示す無線基地局１０のアンテナ部との無線通信に用いられるものである。
【００４７】
図４を参照し、迷惑電話監視装置３を後側から見た構成について説明する。図４において、容器６１の背面部には、電源接続部３３、電話回線接続部３４、電話機接続部３５、音放出孔部６８、アンテナ部６７が設けられる。音放出孔部６８は、容器６１の内部に収容された音声表示部２９から放出された音声を、容器６１より外部に放出する。
【００４８】
図５を参照し、迷惑電話監視装置３の底側から見た構成について説明する。図５において、容器６１の底面部には、パッド部６９及びリセットスイッチ部２７が設けられる。パッド部６９は、容器６１の底面部の四隅に取り付けられ、容器６１を容器６１の置かれる部材に滑らずに置けるように機能する。
【００４９】
図６を参照し、発明を実施するための形態１に係る迷惑電話監視装置３での着信状態による動作様式について説明する。図６において、着信状態が通知の場合のうちの、着信した発信元識別子が許可識別子である場合は、動作様式が動作様式１と分類された１つの動作様式が迷惑電話監視装置３の製造過程で初期設定されている。この初期設定された動作様式１では、発光表示部３１が青色の点灯状態となり、音声表示部２９が動作せず、発信側電話機６への対応が呼出音を鳴らし、着信側電話機１への対応として呼出音を鳴らすと共に情報表示部３０に着信した発信元識別子のうちの発信元電話番号を表示する。
【００５０】
着信状態が通知の場合のうちの、着信した発信元識別子が拒否識別子である場合は、動作様式が動作様式２と動作様式３と分類された２つの動作様式が存在し、動作様式３が迷惑電話監視装置３の製造過程で初期設定されている。この初期設定された動作様式３では、発光表示部３１が赤色の点灯状態となり、音声表示部２９が動作せず、発信側電話機６への対応がトーキーを出力し、着信側電話機１への対応として呼出音を鳴らさずかつ情報表示部３０に何も表示しない。動作様式３のトーキーに代えて動作様式２では呼出音を鳴らすことが相違し、その他は動作様式２と動作様式３とは同じ動作を行う。
【００５１】
着信状態が通知の場合のうちの、着信した発信元識別子が迷惑識別子である場合は、動作様式が動作様式４と動作様式５と分類された２つの動作様式が存在し、動作様式５が迷惑電話監視装置３の製造過程で初期設定されている。この初期設定された動作様式５では、発光表示部３１が赤色の点滅状態となり、音声表示部２９が音声案内を出力し、発信側電話機６への対応が呼出音を出力し、着信側電話機１への対応として呼出音を鳴らさずと共に情報表示部３０に何も表示しない。動作様式５では音声表示部２９を動作せずかつ着信側電話機１への対応として呼出音を鳴らさずかつ情報表示部３０に何も表示しないことが動作様式４と相違し、その他は動作様式４と動作様式５とは同じ動作を行う。
【００５２】
着信状態が通知の場合のうちの、着信した発信元識別子が該当無である場合は、動作様式が動作様式６と分類された１つの動作様式が迷惑電話監視装置３の製造過程で初期設定されている。この初期設定された動作様式６では、発光表示部３１が黄色の点灯状態となり、音声表示部２９が動作せず、発信側電話機６への対応が呼出音を鳴らし、着信側電話機１への対応として呼出音を鳴らすと共に情報表示部３０に着信した発信元識別子のうちの発信元電話番号を表示する。
【００５３】
着信状態が非通知の場合は、非通知、公衆、圏外の何れでも、動作様式が動作様式７と動作様式３と分類された２つの動作様式が存在し、動作様式７が迷惑電話監視装置３の製造過程で初期設定されている。この初期設定された動作様式７では、発光表示部３１が黄色の点灯状態となり、音声表示部２９が音声案内を出力し、発信側電話機６への対応が呼出音を鳴らし、着信側電話機１への対応として呼出音を鳴らしかつ情報表示部３０に非通知を表示する。
【００５４】
図７を参照し、発明を実施するための形態１に係る迷惑電話監視装置３での着信の分類に対する発信側電話機６へのトーキーの内容について説明する。図７において、着信の分類が拒否又は圏外の場合は、トーキーの内容として「この電話番号からの電話はお受けできません。」と出力される。着信の分類が非通知の場合は、トーキーの内容として「発信者番号通知がされておりません。電話番号の前に「１８６」をつけてダイヤルするなど、電話番号を通知しておかけ直しください。」と出力される。着信の分類が公衆電話の場合は、トーキーの内容として「公衆電話からの電話はお受けできません。」と出力される。
【００５５】
図８を参照し、発明を実施するための形態１に係る迷惑電話監視装置３での着信の分類に対する音声発生部での音声案内の内容について説明する。図８において、着信の分類が迷惑のうちで電話機を鳴らさない場合は、音声案内の内容として「迷惑電話の恐れがあります。」と出力される。着信の分類が非通知又は圏外の場合は、音声案内の内容として「不明な番号からの着信です。」と出力される。着信の分類が公衆電話の場合は、音声案内の内容として「公衆電話からの着信です。」と出力される。
【００５６】
図９を参照し、実施の形態１に係る迷惑電話監視装置３での着信処理について説明する。この図９を参照した説明では、迷惑電話監視装置３、電源接続部３３、迷惑識別データベース部３７、拒否識別データベース部３８、許可識別データベース部３９、着信履歴データベース部４０等については、図２を参照して下さい。迷惑電話監視装置３が電源接続部３３から供給された電力で動作し、着信処理が始まると、ステップ１０１では発信元識別子が着信したかを判断し、発信元識別子が着信していない場合はステップ１０１に戻り、発信元識別子が着信した場合はステップ１０２に進む。ステップ１０２では、着信した発信元識別子がナンバー・ディスプレイの機能に適用する通知であるかを判断し、着信した発信元識別子が通知である場合はステップ１０３に進み、着信した発信元識別子がナンバー・ディスプレイの機能に適用しない非通知である場合はステップ１１１に進む。
【００５７】
ステップ１０３では着信した発信元識別子が許可識別子かを判断し、着信した発信元識別子が許可識別データベース部３９に保存されていることから許可識別子である場合はステップ１０４に進み、着信した発信元識別子が許可識別データベース部３９に保存されていないことから許可識別子でない場合はステップ１０６に進む。ステップ１０４では図６の動作様式１による許可処理を実行した後にステップ１０５に進む。ステップ１０５では着信した発信元識別子を着信履歴データベース部４０に保存して、着信処理を終わる。つまり、ステップ１０１乃至ステップ１０５の処理により、着信した発信元識別子がナンバー・ディスプレイの機能に適用する通知であると共に許可識別子である場合は、動作様式１による許可処理が実行され、着信した発信元識別子が着信履歴データベース部４０に保存される。
【００５８】
ステップ１０６では、着信した発信元識別子が拒否識別子かを判断し、着信した発信元識別子が拒否識別データベース部３８に保存されていることから拒否識別子である場合はステップ１０７に進み、着信した発信元識別子が拒否識別データベース部３８に保存されていないことから拒否識別子でない場合はステップ１０８に進む。ステップ１０７では、図６の動作様式３による拒否処理を実行した後にステップ１０５に進む。つまり、ステップ１０１乃至ステップ１０３とステップ１０６及びステップ１０７の処理により、着信した発信元識別子がナンバー・ディスプレイの機能に適用する通知であるものの拒否識別子である場合は、動作様式３による拒否処理が実行され、着信した発信元識別子が着信履歴データベース部４０に保存される。
【００５９】
ステップ１０８では、着信した発信元識別子が迷惑識別子かを判断し、着信した発信元識別子が迷惑識別データベース部３７に保存されていることから迷惑識別子である場合はステップ１０９に進み、着信した発信元識別子が迷惑識別データベース部３７に保存されていないことから迷惑識別子でない場合は着信した発信元識別子が迷惑識別データベース部３７と拒否識別データベース部３８及び許可識別データベース部３９の何れにも保存されていないことになるので該当無識別子であるのでスッテプ１１０に進む。
【００６０】
ステップ１０９では、図６の動作様式５による迷惑処理を実行した後にステップ１０５に進む。つまり、ステップ１０１乃至ステップ１０３とステップ１０５とステップ１０８及びステップ１０９の処理により、着信した発信元識別子がナンバー・ディスプレイの機能に適用する通知であるものの迷惑識別子である場合は、動作様式５による迷惑処理が実行され、着信した発信元識別子が着信履歴データベース部４０に保存される。
【００６１】
ステップ１１０では、着信した発信元識別子が迷惑識別データベース部３７と拒否識別データベース部３８及び許可識別データベース部３９の何れにも保存されていない該当無識別子であるので図６の動作様式６による該当無処理を実行した後にステップ１０５に進む。つまり、ステップ１０１乃至ステップ１０３とステップ１０５とステップ１０８及びステップ１１０の処理により、着信した発信元識別子がナンバー・ディスプレイの機能に適用する通知であるものの該当無識別子である場合は、動作様式６による該当無処理が実行され、着信した発信元識別子が着信履歴データベース部４０に保存される。
【００６２】
ステップ１１１では、着信した発信元識別子がナンバー・ディスプレイの機能に適用しない非通知であるので図６の動作様式７による非通知処理を実行した後に、ステップ１０５に進む。つまり、ステップ１０１とステップ１０２とステップ１０５とステップ１１１の処理により、着信した発信元識別子がナンバー・ディスプレイの機能に適用しない非通知である場合は、動作様式７による非通知処理が実行され、着信した発信元識別子が着信履歴データベース部４０に保存される。
【００６３】
図１０を参照し、実施の形態１に係る迷惑電話監視装置３での迷惑情報管理処理について説明する。この図１０を参照する説明にあっては、迷惑電話監視装置３、インターネット網１３、サーバー部１４、無線通信部２１、電源接続部３３、記憶部３６、迷惑識別データベース部３７等については、図２を参照して下さい。迷惑電話監視装置３が電源接続部３３から供給された電力で動作し、迷惑情報管理処理が始まると、ステップ２０１では次期更新時期情報を検出したかを判断し、次期更新時期情報が検出されない場合はステップ２０１に戻り、次期更新時期情報が検出された場合はステップ２０２に進む。ステップ２０２では、検出した次期更新時期情報を記憶部３６に保存すると共に次期更新時期を計測する動作を開始した後に、ステップ２０３に進む。
【００６４】
ステップ２０３では、計測した次期更新時期が記憶部３６に保存された次期更新時期情報に到達しかを判断し、計測した次期更新時期が次期更新時期情報に到達しない場合はステップ２０３に戻り、計測した次期更新時期が次期更新時期情報に到達した場合はステップ２０４に進む。ステップ２０４では、無線通信部２１の通信は可能かを判断し、無線通信部２１の通信は可能である場合はステップ２０５に進み、無線通信部２１の通信は不可能である場合はステップ２０６に進む。
【００６５】
ステップ２０５では、無線通信による通信事業者網及びインターネット網１３経由でサーバー部１４から更新分の迷惑識別子をダウンロードして記憶部３６の迷惑識別データベース部３７に保存して処理を終わる。このステップ２０５は、インターネット網１３のサーバー部１４から迷惑識別子を無線通信部２１の通信に基づき無線通信事業者網１５及びインターネット網１３を経由してダウンロードして記憶部３６に保存するステップに相当する。ステップ２０６では、公衆回線網４及びインターネット網１３経由でサーバー部１４から更新分の迷惑識別子をダウンロードして記憶部３６の迷惑識別データベース部３７に保存して処理を終わる。
【００６６】
図１１を参照し、発明を実施するための形態１に係る迷惑電話を監視するシステムについて、着信側電話機を迷惑電話監視機能付き携帯電話機７１（以下、携帯電話機７１という）として説明する。図１１において、６は発信側電話機、１０は無線基地局、１１；１２はゲートウェイ部、１３はインターネット網、１４はサーバー部、１５は通信事業者網、７１は携帯電話機である。
【００６７】
携帯電話機７１は、ナンバー・ディスプレイの機能を有する一方、携帯電話機７１、無線基地局１０、ゲートウェイ部１１；１２、インターネット網１３からなる経路、即ち、携帯電話機７１の無線通信に基づき無線通信事業者網１５及びインターネット網１３からなる経路でサーバー部１４から迷惑識別子をダウンロードする。携帯電話機７１は、機能的には、図１の迷惑電話監視装置３及び着信側電話機１に相当する電話機である
【００６８】
発明を実施するための形態２に係る迷惑電話を監視するシステムでは、携帯電話機７１と無線基地局１０とが無線通信可能に接続され、インターネット網１３のサーバー部１４から迷惑識別子がダウンロードされて携帯電話機７１に保存された状態と携帯電話機７１への入力操作に基づき拒否識別子が携帯電話機７１に保存された状態とにおいて、発信側電話機６からの発呼が携帯電話機７１に着信すると、携帯電話機７１は発信元識別子が迷惑識別子又は拒否識別子として携帯電話機７１に保存されているかを検索する。
【００６９】
検索の結果、発信元識別子が迷惑識別子又は拒否識別子として携帯電話機７１に保存されている場合は、携帯電話機７１は、発信側電話機６からの着信を保留しかつ当該保留に基づき発信側電話機６から携帯電話機７１への着信が迷惑電話である場合の表示と拒否電話である場合の表示とを互いに異なる表示態様で行う。例えば、携帯電話機７１で保留された着信した発信元識別子が迷惑識別子である場合は、携帯電話機７１が発光表示部を赤色に点滅させると共に呼出音を鳴らさない表示態様を行い、携帯電話機７１で保留された着信した発信元識別子が拒否識別子である場合は、携帯電話機７１が発光表示部を赤色に点灯させると共に呼出音を鳴らさない表示態様を行う。
【００７０】
一方、検索の結果、発信元識別子が迷惑識別子又は拒否識別子として携帯電話機７１に保存されていない場合は、携帯電話機７１は、発信側電話機６からの着信を許可する。つまり、着信した発信元識別子が迷惑識別子又は拒否識別子として携帯電話機７１に保存されていないと、携帯電話機７１は発信側電話機６からの着信を許可することに基づき発光表示部３１（図１２参照）を青色に点灯すると共に呼出音信号を発信側電話機６及び携帯電話機７１に出力し、発信側電話機６及び携帯電話機７１の呼出音が鳴動し、これを聞いた人が携帯電話機７１をオフフックすると、携帯電話機７１及び発信側電話機６の呼出音が停止し、携帯電話機７１と発信側電話機６とが接続されて通話可能になる。
【００７１】
図１２を参照し、発明を実施するための形態１に係る携帯電話機７１について説明する。図１２において、２１は無線通信部、２８は表示部、３０は情報表示部、３１は発光表示部、３６は記憶部、３７は迷惑識別データベース部、３８は拒否識別データベース部、３９は許可識別データベース部、４０は着信履歴データベース部、４１は音声案内データベース部、４２は発光表示データベース部、４３は情報表示データベース部、４４は制御部、４５はＣＰＵ部、４６はＲＯＭ部、４７はＲＡＭ部、４８は通信制御手段、４９は表示制御手段、５０は迷惑情報管理手段、５１は拒否情報管理手段、５２は許可情報管理手段、５３は履歴情報管理手段、５４は他の情報管理手段、７１は携帯電話機、７２は入力操作部、７３はマイクロホン、７４はスピーカー部、７５はバッテリー部、７６は充電回路部、７７は充電端子部、７８は電源スイッチ部である。
【００７２】
図１２を参照し、先ず、携帯電話機７１の構成について説明する。図１２に示すように、携帯電話機７１は、容器に、無線通信部２１、表示部２８、記憶部３６、制御部４４、入力操作部７２、マイクロホン部７３，スピーカー部７４、バッテリー部７５、充電回路部７６、充電端子部７７、電源スイッチ部７８を備える。入力操作部７２は、人為操作に対応する電気信号を制御部４４に入力する機器であり、キーボード部、情報表示部３０に表示されたキーを表現するシンボルマーク部等の総称である。図１２では、図２の音声表示部２９をスピーカー部７４と表現し、表示部２８に情報表示部３０及び発光表示部３１を備えた態様を例示した。
【００７３】
マイクロホン部７３は、携帯電話機７１の容器の外部における音声や音を容器に設けられた集音孔部より集音して電気信号に変換して制御部４４に出力する。スピーカー部７４は、バッテリー部７５からの電力で動作した制御部４４の制御により無線通信部２１から入力された電気信号を音声や音に変換して放出する。スピーカー部７４から放出された音声や音は、携帯電話機７１の容器に設けられた放音孔部から容器の外部に放出される。
【００７４】
記憶部３６には、迷惑識別データベース部３７、拒否識別データベース部３８、許可識別データベース部３９、着信履歴データベース部４０、音声案内データベース部４１、発光表示データベース部４２、情報表示データベース部４３が設けられる。制御部４４には、ＣＰＵ部４５、ＲＯＭ部４６、ＲＡＭ部４７、通信制御手段４８、表示制御手段４９、迷惑情報管理手段５０、拒否情報管理手段５１、許可情報管理手段５２、履歴情報管理手段５３、他の情報管理手段５４が設けられる。
【００７５】
迷惑識別データベース部３７、拒否識別データベース部３８、許可識別データベース部３９、着信履歴データベース部４０には、携帯電話機７１の使用の経過と入力操作とにより、記録されて保存される情報が増えていく。迷惑識別データベース部３７に保存される情報は、迷惑識別子である。拒否識別データベース部３８に保存される情報は、拒否識別子である。許可識別データベース部３９に保存される情報は、許可識別子である。着信履歴データベース部４０に保存される情報は、着信履歴としての発信元識別子である。
【００７６】
音声案内データベース部４１、発光表示データベース部４２、情報表示データベース部４３には、携帯電話機７１の製造過程で情報が予め記録されて保存される。音声案内データベース部４１に保存される情報は、図８に示す着信の分類に対する音声表示部での音声案内の内容に相当する情報である。発光表示データベース部４２に保存される情報は、図６に示す動作様式中の着信した発信元識別子列と発光表示部列とに表示された内容に相当する情報である。情報表示データベース部４３に保存される情報は、図７に示す着信の分類に対する発信側電話機へのトーキーの内容に相当する情報である。
【００７７】
図１２に戻り、次に、携帯電話機７１の動作について説明する。ＡＣアダプタ等の充電器又は携帯用の充電器が充電端子部７７に接続されると、充電回路部７６が上記充電器から供給される直流の電力をバッテリー部７５に充電する。バッテリー部７５は、電源スイッチ部７８のオン動作に基づき携帯電話機７１の各電気部品に直流の電力を供給する。
【００７８】
このようにバッテリー部７５から携帯電話機７１の各電気部品に電力が供給されると、制御部４４のＣＰＵ部４５が、ＲＯＭ部４６に格納されたコンピュータープログラムに従いＲＡＭ部４７に保存されている情報や記憶部３６に保存された情報を使用しながら動作して携帯電話機７１の各電気部品の動作を制御する。通信制御手段４８、表示制御手段４９、迷惑情報管理手段５０、許可情報管理手段５２、拒否情報管理手段５１、履歴情報管理手段５３、他の情報管理手段５４は、ＣＰＵ部４５の動作で具現化される。
【００７９】
バッテリー部７５から供給された電力で動作した携帯電話機７１では、無線通信部２１と無線基地局１０とが無線通信可能な状態において、発信側電話機６から発信元識別子が携帯電話機７１に着信するごとに、履歴情報管理手段５３が着信した発信元識別子を着信履歴識別子として記憶部３６の着信履歴データベース部４０に保存する一方、通信制御手段４８は着信した発信元識別子が通知か非通知かを判断する。そして、着信した発信元識別子が通知であることからナンバー・ディスプレイの機能に適用する場合は、通信制御手段４８が着信した発信元識別子に対する通知対応処理を実行し、着信した発信元識別子が非通知であることからナンバー・ディスプレイの機能に適用しない場合は、通信制御手段４８が着信した発信元識別子に対する非通知対応処理を実行する。
【００８０】
上記通知対応処理が実行された場合、通信制御手段４８は着信した発信元識別子が記憶部３６の迷惑識別データベース部３７と拒否識別データベース部３８及び許可識別データベース部３９の何れかに保存されているかを検索する。検索の結果、着信した発信元識別子が迷惑識別データベース部３７に迷惑識別子として保存されている場合又は拒否識別データベース部３８に拒否識別子として保存されている場合は、通信制御手段４８が着信側電話機１への着信を保留する。この通信制御手段４８が着信側電話機としての携帯電話機７１への着信を保留する場合が、電力で動作した携帯電話機７１の無線通信部２１と無線基地局１０とが無線通信可能な状態において発信側電話機６から着信側電話機に対して着信した発信元識別子が迷惑識別子又は拒否識別子として記憶部３６に保存されている場合は発信側電話機６から着信側電話機としての携帯電話機７１への着信を保留するステップに相当する。
【００８１】
そして、通信制御手段４８が上記保留と共に保留を表示制御手段４９に通知し、表示制御手段４９が通知された通知対応処理による保留の原因に適応するように表示部２８及びスピーカー部７４を制御する。これまでの段落［００８１］の記載が、段落［００８０］での保留に基づき発信側電話機６から着信側電話機としての携帯電話機７１への着信が迷惑電話である場合の表示と拒否電話である場合の表示とを互いに異なる表示態様で行うステップに相当する。
【００８２】
着信した発信元識別子が許可識別データベース部３９に許可識別子として保存されている場合又は迷惑識別データベース部３７と拒否識別データベース部３８及び許可識別データベース部３９の何れにも保存されていない場合は、通信制御手段４８が着信側電話機１への着信を許可すると共に許可を表示制御手段４９に通知し、表示制御手段４９が通知された許可の原因に適応するように表示部２８及びスピーカー部７４を制御する。これまでの段落［００８２］の記載が、携帯電話機７１の無線通信部２１と無線基地局１０とが無線通信可能な状態において発信側電話機６から着信側電話機としての携帯電話機７１に対して着信した発信元識別子が迷惑識別子又は拒否識別子として記憶部３６に保存されていない場合は発信側電話機６から着信側電話機としての携帯電話機７１への着信を許可するステップに相当する。又、上記「表示制御手段４９が通知された許可の原因に適応するように表示部２８及びスピーカー部７４を制御する」の記載が、表示制御手段４９は着信した発信元識別子が許可識別子として記憶部３６に保存されている場合は発信側電話機６から着信側電話機１への着信が許可電話である表示を行うように表示部２８を制御するに相当する。
【００８３】
前記非通知対応処理が実行された場合、通信制御手段４８は着信した発信元識別子を記憶部３６に検索することなく着信を保留すると共に保留を表示制御手段４９に通知し、表示制御手段４９が通知された非通知対応処理による保留の原因に適応するように表示部２８及びスピーカー部７４を制御する。上記通知対応処理が実行された場合の動作及び前記非通知対応処理が実行された場合の動作については図１２に示す動作様式で詳述する。
【００８４】
図１２に戻り、バッテリー部７５から供給された電力で動作した携帯電話機７１において、迷惑識別子を記憶部３６の迷惑識別データベース部３７に保存する場合、拒否識別子を記憶部３６の拒否識別データベース部３８に保存する場合、許可識別子を記憶部３６の許可識別データベース部３９に保存する場合について説明する。
【００８５】
先ず、迷惑識別子が記憶部３６の迷惑識別データベース部３７に保存される場合について説明する。更新時期が到来すると、迷惑情報管理手段５０がインターネット網１３のサーバー部１４から迷惑識別子を無線通信部２１と無線基地局１０との無線通信に基づき無線通信事業者網１５及びインターネット網１３を経由してダウンロードして記憶部３６の迷惑識別データベース部３７に保存する。この迷惑識別子が記憶部３６の迷惑識別データベース部３７に保存される場合が、インターネット網１３のサーバー部１４から迷惑識別子を無線通信部２１の通信に基づき図１１の無線通信事業者網１５及びインターネット網１３を経由してダウンロードして図１２の記憶部３６に保存するステップに相当する。
【００８６】
上記更新時期については、インターネット網１３のサーバー部１４からダウンロードされる迷惑識別子と共にサーバー部１４の次期の更新時期が制御部４４に入力され、この入力された次期の更新時期を制御部４４のＣＰＵが上記更新時期として記憶部３６に保存すると共に制御部４４の図外の時計手段又はカウンタ手段がカウントアップ又はカウントダウンして更新時期が到来したかを判断し、更新時期が到来すると、時計手段又はカウンタ手段が迷惑情報管理手段５０に更新時期の到来したことを通知する。これにより、迷惑情報管理手段５０がインターネット網１３のサーバー部１４から迷惑識別子を無線通信部２１と無線基地局１０との無線通信に基づき無線通信事業者網１５及びインターネット網１３を経由してダウンロードして記憶部３６の迷惑識別データベース部３７に保存する。
【００８７】
次に、拒否識別子が記憶部３６の拒否識別データベース部３８に保存される場合について説明すると、発信元識別子が携帯電話機７１に着信して情報表示部３０に表示された状態において、入力操作部７２の拒否スイッチ部の機能を有する操作部が人為操作されると、入力操作部７２が拒否信号を制御部４４に出力する。これにより、拒否情報管理手段５１が上記着信した発信元識別子を拒否識別子として拒否識別データベース部３８に保存する。この拒否識別子が記憶部３６の拒否識別データベース部３８に保存される場合が、入力操作に基づき拒否識別子を記憶部３６に保存するステップに相当する。
【００８８】
許可識別子が記憶部３６の許可識別データベース部３９に保存される場合について説明すると、発信元識別子が携帯電話機７１に着信して情報表示部３０に表示された状態において、入力操作部７２の許可スイッチ部の機能を有する操作部が人為操作されると、入力操作部７２が許可信号を制御部４４に出力する。これにより、許可情報管理手段５２が上記着信した発信元識別子を許可識別子として許可識別データベース部３９に保存する。
【００８９】
又、電源接続部３３から供給された電力で動作した携帯電話機７１では、履歴画面となった情報表示部３０に迷惑識別子の１つが表示された場合において、入力操作部７２の上送りスイッチ部の機能を有する操作部又は下送りスイッチ部の機能を有する操作部が人為操作されるごとに、他の情報管理手段５４が迷惑識別データベース部３７に保存された迷惑識別子のリストを上又は下に移動して迷惑識別子の別の１つを情報表示部３０に表示し、履歴画面となった情報表示部３０に拒否識別子の１つが表示された場合において、入力操作部７２の上送りスイッチ部の機能を有する操作部又は下送りスイッチ部の機能を有する操作部が人為操作されるごとに、他の情報管理手段５４が拒否識別データベース部３８に保存された拒否識別子のリストを上又は下に移動して拒否識別子の別の１つを情報表示部３０に表示し、履歴画面となった情報表示部３０に許可識別子の１つが表示された場合において、入力操作部７２の上送りスイッチ部の機能を有する操作部又は下送りスイッチ部の機能を有する操作部が人為操作されるごとに、他の情報管理手段５４が許可識別データベース部３９に保存された許可識別子のリストを上又は下に移動して許可識別子の別の１つを情報表示部３０に表示し、入力操作部７２のリセットスイッチ部の機能を有する操作部が人為操作されると、バッテリー部７５から供給された電力で動作した他の情報管理手段５４により、初期モードに移行する。
【００９０】
図１３の明を実施するための形態２に係る携帯電話機１での着信状態による動作様式では、図６の発明を実施するための形態１に係る迷惑電話監視装置３での着信状態による動作様式の音声表示部が「スピーカー部」と表記され、図６の「着信側電話機」の表記が消去されたことが相違し、その他は図６と同じである。
【符号の説明】
【００９１】
１は着信側電話機、２は電話線、３は迷惑電話監視装置、４は公衆回線網、５は電話局、６は発信側電話機、７は回線交換網、８はインターネットプロバイダー部、９はインターネット網、１０は無線基地局、１１；１２はゲートウェイ部、１３はインターネット網、１４はサーバー部、１５は通信事業者網、１６乃至２０は欠番、２１は無線通信部、２２は入力操作部、２３は許可スイッチ部、２４は拒否スイッチ部、２５は上送りスイッチ部、２６は下送りスイッチ部、２７はリセットスイッチ部、２８は表示部、２９は音声表示部、３０は情報表示部、３１は発光表示部、３２は接続部、３３は電源接続部、３４は電話回線接続部、３５は電話機接続部、３６は記憶部、３７は迷惑識別データベース部、３８は拒否識別データベース部、３９は許可識別データベース部、４０は着信履歴データベース部、４１は音声案内データベース部、４２は発光表示データベース部、４３は情報表示データベース部、４４は制御部、４５はＣＰＵ部、４６はＲＯＭ部、４７はＲＡＭ部、４８は通信制御手段、４９は表示制御手段、５０は迷惑情報管理手段、５１は拒否情報管理手段、５２は許可情報管理手段、５３は履歴情報管理手段、５４は他の情報管理手段、５５乃至６０は欠番、６１は容器、６２は許可スイッチ操作部、６３は拒否スイッチ操作部、６４は上送りスイッチ操作部、６５は下送りスイッチ操作部、６６は欠番、６７はアンテナ部、６８は音放出孔部、６９はパッド部、７０は欠番、７１は迷惑電話監視機能付き携帯電話機、７２は入力操作部、７３はマイクロホン、７４はスピーカー部、７５はバッテリー部、７６は充電回路部、７７は充電端子部、７８は電源スイッチ部、７９乃至８０は欠番、８１は着信側電話機、８２は迷惑電話監視装置、８３はインターネット網、８４はサーバー部、８５は発信側電話機。
【図１】
2014207621.tif 000003
【図２】
2014207621.tif 000004
【図３】
2014207621.tif 000005
【図４】
2014207621.tif 000006
【図５】
2014207621.tif 000007
【図６】
2014207621.tif 000008
【図７】
2014207621.tif 000009
【図８】
2014207621.tif 000010
【図９】
2014207621.tif 000011
【図１０】
2014207621.tif 000012
【図１１】
2014207621.tif 000013
【図１２】
2014207621.tif 000014
【図１３】
2014207621.tif 000015
【図１４】
2014207621.tif 000016